【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
電気化学セルに使用する電極であって、該電極は水素貯蔵材料および高エネルギー密度金属を含み、水素貯蔵材料および高エネルギー密度金属は、高エネルギー密度金属が電池中の電解質との反応に際して水素貯蔵材料に対して水素源として作用できかつ/または高エネルギー密度金属がセルに対してアノード材料として作用できる様に電極中で配置されていることを特徴とする電極。
【請求項２】
高エネルギー密度金属がAl、Zn、MgおよびFeの少なくとも一つか、またはこれらいずれかの金属の合金であることを特徴とする請求項１に記載の電極。
【請求項３】
高エネルギー密度金属がポリテトラフルオロエチレンと混合されていることを特徴とする請求項１または２に記載の電極。
【請求項４】
高エネルギー密度金属がグラファイトと混合されており、該グラファイトは電極の伝導率を増加させることを特徴とする請求項１〜３の何れかに記載の電極。
【請求項５】
水素貯蔵材料が希土類金属/ミッシュメタル合金、ジルコニウム合金、チタニウム合金およびこれら合金の混合物からなる群から選ばれた合金であることを特徴とする請求項１〜４の何れかに記載の電極。
【請求項６】
水素貯蔵材料がポリテトラフルオロエチレンと混合されていることを特徴とする請求項１または５に記載の電極。
【請求項７】
水素貯蔵材料が炭素と混合されていることを特徴とする請求項１〜６の何れかに記載の電極。
【請求項８】
水素貯蔵材料がAB5、AB2,ABおよびA2Bから成る群から選ばれた金属水素化物であり、AはIIB族元素、遷移元素、希土類金属またはアクチニド系列の元素、Bは遷移系列の元素であることを特徴とする請求項１〜７の何れかに記載の電極。
【請求項９】
AB5が六方晶系または斜方晶系構造を有し、かつLaNi5またはNmNi5であって、NmはLaと他の希土類金属との組合わせであり、
AB2がラーベス相構造を有するZnMn2であり、
ABがCsCl 構造を有するTiFe であり、かつ
A2Bが錯体構造を有するTi2Niである
ことを特徴とする請求項８に記載の電極。
【請求項１０】
電極がさらに水素電極触媒を含むことを特徴とする請求項１〜９の何れかに記載の電極。
【請求項１１】
水素電極触媒が貴金属、Ni、Fe、Crまたはこれらの金属の少なくとも一つを含む合金であることを特徴とする請求項１０に記載の電極。
【請求項１２】
水素電極触媒が高表面積支持体材料上に堆積した純粋な粉末の形であることを特徴とする請求項１０または１１に記載の電極。
【請求項１３】
高表面積支持体材料が活性炭素かグラファイトであることを特徴とする請求項１２に記載の電極。
【請求項１４】
高エネルギー密度金属および水素貯蔵材料が単一シートの形であることを特徴とする請求項１〜１３の何れかに記載の電極。
【請求項１５】
高エネルギー密度金属、水素貯蔵材料および水素電極触媒が単一シートの形であることを特徴とする請求項１〜１３の何れかに記載の電極。
【請求項１６】
高エネルギー密度金属が第一シートの形であり、水素貯蔵材料が第二シートの形であることを特徴とする請求項１〜１３の何れかに記載の電極。
【請求項１７】
高エネルギー密度金属がおよび水素電極触媒が第一シートの形であり、水素貯蔵材料が第二シートの形であることを特徴とする請求項１０〜１３の何れかに記載の電極。
【請求項１８】
高エネルギー密度金属が第一シートの形であり、水素貯蔵材料が第二シートの形であり、水素電極触媒が第三シートの形であることを特徴とする請求項１０〜１３の何れかに記載の電極。
【請求項１９】
メッシュ集電体が圧着またはカレンダー掛けされて前記シートの何れか一つにされていることを特徴とする請求項１４〜１８の何れかに記載の電極。
【請求項２０】
高エネルギー密度金属が固体板、ペレットまたは粉末の形であることを特徴とする請求項１〜１９の何れかに記載の電極。
【請求項２１】
エネルギーキャリヤー層と、触媒層と、水素吸収層と、メッシュ集電体および機械的支持体の一つまたは両方とを含むことを特徴とする請求項１〜２０の何れかに記載の電極。
【請求項２２】
電気化学セルの電極に用いる水素貯蔵材料であって、該電極はまた高エネルギー密度金属を含み、該高エネルギー密度金属と該セル中の電解質との反応により生じる水素を吸収するために用いることを特徴とする水素貯蔵材料。
【請求項２３】
電気化学セルの電極に用いる高エネルギー密度金属であって、該電極はまた水素貯蔵材料を含み、該高エネルギー密度金属と該セル中の電解質との反応中の該水素貯蔵材料の水素源であることを特徴とする高エネルギー密度金属。
【請求項２４】
電気化学セルに使用する電極の製造方法であり、該電極は水素貯蔵合金および高エネルギー密度金属を含み、該方法は：
高エネルギー密度金属および水素貯蔵合金の少なくとも一つをバインダーと共に焼結または成形して少なくとも一枚の薄いシートを形成する工程、および
該少なくとも一枚のシートをカレンダー掛けするか圧着して電極を形成する工程、
を含むことを特徴とする電極の製造方法。
【請求項２５】
ポリテトラフルオロエチレンをバインダーとして使用することにより多孔率を制御することを特徴とする請求項２４に記載の方法。
【請求項２６】
炭素を添加することにより粒子間の接触を増加させることを特徴とする、請求項２４または２５に記載の方法。
【請求項２７】
集電体を圧着するかカレンダー掛けして該少なくとも一つのシートにすることを特徴とする請求項２４〜２６の何れかに記載の方法。
【請求項２８】
アノードとして請求項１〜２１の何れかに記載の電極を含むことを特徴とする金属/空気燃料セルまたは金属水素化物電池セル。
【請求項２９】
負極が高エネルギー密度金属および水素貯蔵材料を含む金属/空気燃料セルであって、水素貯蔵材料が該セル中の高エネルギー密度金属と電解質の反応により生じる水素を吸収するのに適合する様に、該水素貯蔵材料が電極内に配置されていることを特徴とする金属/空気燃料セル。
【請求項３０】
負極が高エネルギー密度金属および水素貯蔵材料を含む金属水素化物セルであって、高エネルギー密度金属が該セル中の電解質との反応の際に水素貯蔵材料に水素源を提供するのに適合する様に、該高エネルギー密度金属が電極内に配置されていることを特徴とする金属水素化物セル。
【請求項３１】
セルがニッケル/金属水素化物セルであることを特徴とする請求項３０に記載のセル。
【請求項３２】
電極の腐食を防止するために、高エネルギー密度金属と組合わせて、金属/空気燃料セルの電極に用いる水素吸蔵材料。
【請求項３３】
電池に自己充電性を付与するために、水素貯蔵材料と組合わせて、ニッケル/金属水素化物セルの電極に用いる高エネルギー密度金属。
【請求項３４】
電池に増大したエネルギー容量を付与するために、水素貯蔵材料と組合わせて、ニッケル/金属水素化物セルの電極に用いる高エネルギー密度金属。
【請求項３５】
電池に増大したピーク出力を付与するために、水素貯蔵材料と組合わせて、ニッケル/金属水素化物セルの電極に用いる高エネルギー密度金属。
【請求項３６】
それぞれ高エネルギー密度金属および金属水素化物を含む分離した層の間にガルバニック結合を配置することにより金属水素化物の腐食を防止するために、ニッケル/金属水素化物セルの電極に用いる高エネルギー密度金属。
【請求項３７】
高エネルギー密度金属がAl、Zn、MgまたはFeであることを特徴とする請求項２２または３２に記載の水素吸蔵材料。
【請求項３８】
Al、Zn、MgまたはFeであることを特徴とする請求項２３または３３〜３６の何れかに記載の高エネルギー密度金属。